(57)【特許請求の範囲】
【請求項１】
略水平方向に回転自在に配設した回転ドラムと、前記回転ドラムを内包する水槽と、前記水槽より排気ホースと熱交換器を有する循環経路を介して前記水槽へ空気を循環させる送風手段と、前記循環経路内に設けた加熱手段と、前記水槽内に給水する給水手段と、前記水槽内の給水水位を検知する水位検知手段と、洗濯、すすぎ、脱水、乾燥行程を制御する制御手段とを備え、前記制御手段は、すすぎ行程で少なくとも１回、前記水位検知手段により前記排気ホースの開口部に水位が上昇したことを検知するまで給水するようにしたドラム式洗濯乾燥機。
【請求項２】
略水平方向に回転自在に配設した回転ドラムと、前記回転ドラムを内包する水槽と、前記水槽より排気ホースと熱交換器を有する循環経路を介して前記水槽へ空気を循環させる送風手段と、前記循環経路内に設けた加熱手段と、前記水槽内に給水する給水手段と、前記水槽内の給水水位を検知する水位検知手段と、洗濯、すすぎ、脱水、乾燥行程を制御する制御手段とを備え、前記制御手段は、すすぎ行程で前記送風手段を駆動するようにしたドラム式洗濯乾燥機。
【請求項３】
略水平方向に回転自在に配設した回転ドラムと、前記回転ドラムを内包する水槽と、前記水槽より排気ホースと熱交換器を有する循環経路を介して前記水槽へ空気を循環させる送風手段と、前記循環経路内に設けた加熱手段と、前記水槽内に給水する第１の給水手段と、前記熱交換器内に給水する第２の給水手段と、前記第１の給水手段と水槽内を連通させる第１の給水ホースと、前記第２の給水手段と熱交換器内を連通させる第２の給水ホースと、前記第１の給水ホースと第２の給水ホースをつなぐバイパスホースとを備え、前記第１の給水手段の駆動時に、バイパスホースを通って熱交換器内にも給水するようにしたドラム式洗濯乾燥機。
【請求項４】
第１の給水手段の駆動時に、送風手段を駆動するようにした請求項３に記載のドラム式洗濯乾燥機。
【発明の詳細な説明】
【０００１】
【発明の属する技術分野】
本発明は、略水平方向に回転自在に配設した回転ドラム内で洗濯、すすぎ、脱水、乾燥などの各行程を逐次制御するドラム式洗濯乾燥機に関するものである。
【０００２】
【従来の技術】
従来、この種のドラム式洗濯乾燥機は図７に示すように構成していた。以下、その構成について説明する。
【０００３】
図７に示すように、回転ドラム１は、外周部に多数の通水孔２を全面に設け、水槽３内に回転自在に配設している。熱交換器４は、排気ホース５を介して水槽３内に連通し、循環経路６を通して送風ファン７により水槽３へ空気を循環させるように構成している。乾燥ヒータ８は循環経路６内に設け、送風ファン７によ循環する循環空気を加熱するようにしている。
【０００４】
熱交換器４内に冷却水飛散用のリブ９を設けるとともに、熱交換器４内で熱交換に供する冷却水の温度を検知する冷却水温検知手段１０を設けている。温度ヒューズ１１は、乾燥ヒータ８による温度過昇を防止するものである。第１の給水弁１２は水槽３内に給水し、第２の給水弁１３は乾燥時に熱交換器４に冷却水を給水するものである。
【０００５】
上記構成において乾燥行程の動作を説明すると、回転ドラム１内に洗濯物を投入し、乾燥行程を開始すると、送風ファン７および乾燥ヒータ８が駆動し、水槽３より排気ホース５と熱交換器４を通り循環経路６を介して水槽３へ熱風が循環する。さらに給水弁１３が動作して熱交換器４内に冷却水を給水し、湿った熱風と接触し温度を下げ除湿を行う。
【０００６】
【発明が解決しようとする課題】
このような従来の構成では、乾燥行程中に衣類から発生したリントは、熱交換器４内で、給水弁１３から給水される冷却水によって洗い流されるが、獣毛や綿等が著しく付着した衣類の場合、排気ホース５や冷却水飛散用のリブ９および熱交換器４内に堆積し、循環経路６を循環する熱風の流れを阻害し、乾燥ヒータ８の温度過昇を引き起こしていた。これによって温度ヒューズ１１が切れ、製品の故障を起こす原因となった。
【０００７】
本発明は上記課題を解決するもので、獣毛や綿等のリント等が著しく付着した衣類を洗濯、乾燥した時でも、乾燥行程時に排気ホースや熱交換器内に付着したリントが堆積するのを防止し、循環経路の熱風の循環を円滑にして温度ヒューズなどの温度過昇防止装置の動作をなくし、信頼性を向上することを目的としている。
【０００８】
【課題を解決するための手段】
本発明は上記目的を達成するために、略水平方向に回転自在に配設した回転ドラムを水槽に内包し、水槽より排気ホースと熱交換器を有する循環経路を介して送風手段により水槽へ空気を循環させ、循環経路内に加熱手段を設け、給水手段により水槽内に給水する。制御手段は、洗濯、すすぎ、脱水、乾燥行程を制御するとともに、すすぎ行程で少なくとも１回、水槽内の給水水位を検知する水位検知手段により排気ホースの開口部に水位が上昇したことを検知するまで給水するようにしたものである。
【０００９】
これにより、獣毛や綿等のリント等が著しく付着した衣類を洗濯、乾燥した時でも、乾燥行程時に排気ホースや熱交換器内に付着したリントが堆積するのを防止することができ、循環経路の熱風の循環を円滑にして温度ヒューズなどの温度過昇防止装置の動作をなくし、信頼性を向上することができる。
【００１０】
【発明の実施の形態】
本発明の請求項１に記載の発明は、略水平方向に回転自在に配設した回転ドラムと、前記回転ドラムを内包する水槽と、前記水槽より排気ホースと熱交換器を有する循環経路を介して前記水槽へ空気を循環させる送風手段と、前記循環経路内に設けた加熱手段と、前記水槽内に給水する給水手段と、前記水槽内の給水水位を検知する水位検知手段と、洗濯、すすぎ、脱水、乾燥行程を制御する制御手段とを備え、前記制御手段は、すすぎ行程で少なくとも１回、前記水位検知手段により前記排気ホースの開口部に水位が上昇したことを検知するまで給水するようにしたものであり、すすぎ行程において排気ホースの開口部まで給水した状態で、回転ドラムを左右に回転させると、排気ホース内の水位が上昇、下降を繰り返すため、乾燥行程時に排気ホースや熱交換器内に付着したリントがはぎ取られ、水位の下降とともに水槽内に引き込まれて排出され、獣毛や綿等のリント等が著しく付着した衣類を洗濯、乾燥した時でも、排気ホースや熱交換器内にリントが堆積するのを防止することができ、循環経路の熱風の循環を円滑にして温度ヒューズなどの温度過昇防止装置の動作をなくし、信頼性を向上することができる。
【００１１】
請求項２に記載の発明は、略水平方向に回転自在に配設した回転ドラムと、前記回転ドラムを内包する水槽と、前記水槽より排気ホースと熱交換器を有する循環経路を介して前記水槽へ空気を循環させる送風手段と、前記循環経路内に設けた加熱手段と、前記水槽内に給水する給水手段と、前記水槽内の給水水位を検知する水位検知手段と、洗濯、すすぎ、脱水、乾燥行程を制御する制御手段とを備え、前記制御手段は、すすぎ行程で前記送風手段を駆動するようにしたものであり、すすぎ行程で排気ホース内まで給水された水が送風手段の駆動による循環風によって激しく飛散し、排気ホースや熱交換器内に付着したり、固着したリントを洗い落として排出し、排気ホースや熱交換器内にリントが堆積するのを防止することができ、循環経路の熱風の循環を円滑にして温度ヒューズなどの温度過昇防止装置の動作をなくし、信頼性を向上することができる。
【００１２】
請求項３に記載の発明は、略水平方向に回転自在に配設した回転ドラムと、前記回転ドラムを内包する水槽と、前記水槽より排気ホースと熱交換器を有する循環経路を介して前記水槽へ空気を循環させる送風手段と、前記循環経路内に設けた加熱手段と、前記水槽内に給水する第１の給水手段と、前記熱交換器内に給水する第２の給水手段と、前記第１の給水手段と水槽内を連通させる第１の給水ホースと、前記第２の給水手段と熱交換器内を連通させる第２の給水ホースと、前記第１の給水ホースと第２の給水ホースをつなぐバイパスホースとを備え、前記第１の給水手段の駆動時に、バイパスホースを通って熱交換器内にも給水するようにしたものであり、多流量を給水する第１の給水手段を駆動させるとき、バイパスホースを通って熱交換器内にも給水することによって、排気ホースや熱交換器内に付着したリントを洗い流すことができ、リントが堆積するのを防止することができて、循環経路の熱風の循環を円滑にして温度ヒューズなどの温度過昇防止装置の動作をなくし、信頼性を向上することができる。
【００１３】
請求項４に記載の発明は、上記請求項３に記載の発明において、第１の給水手段の駆動時に、送風手段を駆動するようにしたものであり、バイパスホースを通って熱交換器内にも給水すると同時に、送風手段を駆動させることによって給水を飛散させ、排気ホースや熱交換器内に付着したリントを洗い流すことができる。
【００１４】
【実施例】
以下、本発明の実施例について、図面を参照しながら説明する。なお、従来例と同じ構成のものは同一符号を付して説明を省略する。
【００１５】
（実施例１）
図２および図３に示すように、第１のモータ１４は、回転ドラム１を第１の回転数Ｎ1（たとえば、５３ｒｐｍ）で回転させて、洗濯またはすすぎをするものであり、第２のモータ１５は、回転ドラム１を第２の回転数Ｎ2（たとえば、１０００ｒｐｍ）で回転させて脱水するものである。これら第１のモータ１４および第２のモータ１５は、インダクションモータで構成し、それぞれベルト１６、１７を介して従動プーリー１８に連結している。
【００１６】
従動プーリー１８は、２種の減速比を有しており、第１のモータ１４をベルト１６を介して減速比が大きい従動プーリー１８ａと連結し、第２のモータ１５をベルト１７を介して減速比が小さい従動プーリー１８ｂと連結し、回転ドラム１の回転中心に一端を固定した水平軸１９の他端に固定している。
【００１７】
水槽３は、洗濯機本体２０よりばね体２１で吊り下げ、防振ダンパー２２により脱水共振時の水槽３の振動を制限するとともに、脱水時の振動を低減する重り２３を設けている。ヒータ２４は、水槽３内の洗濯水を加熱するものである。回転ドラム１の開口部に蓋２５を開閉自在に設けている。排水ポンプ２６は水槽３にホース２７で連結し、水槽３内の水を排水するものである。
【００１８】
制御装置２８は、図１に示すように構成しており、制御手段２９は、マイクロコンピュータで構成し、双方向性サイリスタなどで構成したパワースイッチング手段３０を介して、送風ファン（送風手段）７、乾燥ヒータ（加熱手段）８、第１の給水弁（給水手段）１２、第２の給水弁１３、第１のモータ１４、第２のモータ１５、ヒータ２４などの動作を制御し、洗濯、すすぎ、脱水、乾燥などの一連の行程を逐次制御する。
【００１９】
入力設定手段３２は、使用者が必要な洗濯コース、動作のスタートなどを入力するもので、制御手段２９に入力している。表示手段３３は、入力設定手段３１による設定内容、動作状態などを表示する。水位検知手段３４は水槽３内に給水水位を検知して制御手段２９に入力している。水温検知手段３５は、水槽３内の水温を検知して制御手段２９に入力している。なお、３６は商用電源、３７は電源スイッチである。
【００２０】
制御手段２９は、すすぎ行程で少なくとも１回、水位検知手段３４により排気ホース５の開口部に水位が上昇したことを検知するまで給水するようにしている。
【００２１】
上記構成において動作を説明すると、蓋２５を開いて回転ドラム１内に洗濯物を投入し、電源スイッチ３７をオンした後、入力設定手段３２のスタートスイッチ（図示せず）を操作して運転を開始すると、第１の給水弁１２が動作して給水し、所定の水位になると、第１のモータ１４を駆動する。洗濯行程では、洗濯物に水が含まれるため補給水しながら、回転ドラム１は第１のモータ１４によって第１の回転数で回転駆動され、回転ドラム１内の洗濯物は持ち上げられて水面上に落下される。
【００２２】
このとき、ヒータ２４に通電して水槽３内の洗濯水を加熱し、洗濯水の温度を所定の値に制御する。洗濯行程が終了すると、排水ポンプ２６が動作して水槽３内の洗濯水を排水する。その後、すすぎ行程を経由して脱水行程では、回転ドラム１は第２のモータ１５により第２の回転数（たとえば、１０００ｒｐｍ）に回転駆動され、洗濯物は遠心脱水される。
【００２３】
つぎに、乾燥行程では、制御手段２９は、第１のモータ１４を駆動し回転ドラム１を第１の回転数で駆動しながら送風ファン７および乾燥ヒータ８を駆動し、循環経路６を通して熱風を循環させ、熱交換器４が高湿空気を冷却水により熱交換しながら乾燥させる。
【００２４】
ここで、すすぎ行程において、図４に示すように、少なくとも１回、水位検知手段３４により排気ホース５の開口部に水位が上昇したことを検知するまで給水することで、この状態で回転ドラム１が左右に回転すると、排気ホース５内の水位が上昇、下降を繰り返す。これによって乾燥行程時に排気ホース５内に付着したリント３８がはぎ取られ、水位の下降とともに水槽３内に引き込まれて排出され、排気ホース５内にリントが堆積するのを防止することができ、循環経路６の熱風の循環を円滑にして温度ヒューズ１１の動作をなくし、信頼性を向上することができる。
【００２５】
（実施例２）
図１に制御手段２９は、すすぎ行程で送風ファン７を駆動するようにしている。他の構成は上記実施例１と同じである。
【００２６】
上記構成において図５を参照しながら動作を説明すると、すすぎ行程で排気ホース５内まで給水された水が送風ファン７の駆動による循環風によって激しく飛散し、排気ホース５や熱交換器４内に付着したり、固着したリント３８を洗い落として排出し、排気ホース５内にリント３８が堆積するのを防止することができる。したがって、循環経路６の熱風の循環を円滑にして温度ヒューズ１１などの動作をなくし、信頼性を向上することができる。
【００２７】
（実施例３）
図６に示すように、第１の給水弁１２は第１の給水ホース３９を通して水槽３内に給水し、第２の給水弁１３は第２の給水ホース４０を通して熱交換器４内に給水する。第１の給水ホース３９と第２の給水ホース４０をバイパスホース４１で接続し、第１の給水弁１２の駆動時に、バイパスホース４１を通って熱交換器４内にも給水するようにしている。他の構成は上記実施例１と同じである。
【００２８】
上記構成において動作を説明すると、多流量を給水する第１の給水弁１２を駆動させるとき、バイパスホース４１を通って熱交換器４内にも給水することによって、熱交換器４内に付着したリント３８を洗い流すことができ、リント３８が堆積するのを防止することができて、循環経路６の熱風の循環を円滑にして温度ヒューズ１１の動作をなくし、信頼性を向上することができる。
【００２９】
このとき、送風ファン７を駆動することにより、バイパスホース４１を通って熱交換器４内に給水する給水は、下部からの風圧により飛散され、排気ホース５や熱交換器４内に付着したリント３８を洗い流すことができる。
【００３０】
【発明の効果】
以上のように本発明の請求項１に記載の発明によれば、略水平方向に回転自在に配設した回転ドラムと、前記回転ドラムを内包する水槽と、前記水槽より排気ホースと熱交換器を有する循環経路を介して前記水槽へ空気を循環させる送風手段と、前記循環経路内に設けた加熱手段と、前記水槽内に給水する給水手段と、前記水槽内の給水水位を検知する水位検知手段と、洗濯、すすぎ、脱水、乾燥行程を制御する制御手段とを備え、前記制御手段は、すすぎ行程で少なくとも１回、前記水位検知手段により前記排気ホースの開口部に水位が上昇したことを検知するまで給水するようにしたから、すすぎ行程において排気ホースの開口部まで給水した状態で、回転ドラムを左右に回転させると、排気ホース内の水位が上昇、下降を繰り返すため、乾燥行程時に排気ホース内に付着したリントがはぎ取られ、水位の下降とともに水槽内に引き込まれて排出され、獣毛や綿等のリント等が著しく付着した衣類を洗濯、乾燥しても、排気ホースや冷却水飛散用のリブおよび熱交換器内にリントが堆積するのを防止することができ、循環経路の熱風の循環を円滑にして温度ヒューズなどの温度過昇防止装置の動作をなくし、信頼性を向上することができる。
【００３１】
また、請求項２に記載の発明によれば、略水平方向に回転自在に配設した回転ドラムと、前記回転ドラムを内包する水槽と、前記水槽より排気ホースと熱交換器を有する循環経路を介して前記水槽へ空気を循環させる送風手段と、前記循環経路内に設けた加熱手段と、前記水槽内に給水する給水手段と、前記水槽内の給水水位を検知する水位検知手段と、洗濯、すすぎ、脱水、乾燥行程を制御する制御手段とを備え、前記制御手段は、すすぎ行程で前記送風手段を駆動するようにしたから、すすぎ行程で排気ホース内まで給水された水が送風手段の駆動による循環風によって激しく飛散し、排気ホースや熱交換器内に付着したり、固着したリントを洗い落として排出し、排気ホースや熱交換器内にリントが堆積するのを防止することができ、循環経路の熱風の循環を円滑にして温度ヒューズなどの温度過昇防止装置の動作をなくし、信頼性を向上することができる。
【００３２】
また、請求項３に記載の発明によれば、略水平方向に回転自在に配設した回転ドラムと、前記回転ドラムを内包する水槽と、前記水槽より排気ホースと熱交換器を有する循環経路を介して前記水槽へ空気を循環させる送風手段と、前記循環経路内に設けた加熱手段と、前記水槽内に給水する第１の給水手段と、前記熱交換器内に給水する第２の給水手段と、前記第１の給水手段と水槽内を連通させる第１の給水ホースと、前記第２の給水手段と熱交換器内を連通させる第２の給水ホースと、前記第１の給水ホースと第２の給水ホースをつなぐバイパスホースとを備え、前記第１の給水手段の駆動時に、バイパスホースを通って熱交換器内にも給水するようにしたから、多流量を給水する第１の給水手段を駆動させるとき、バイパスホースを通って熱交換器内にも給水することによって、排気ホースや熱交換器内に付着したリントを洗い流すことができ、リントが堆積するのを防止することができて、循環経路の熱風の循環を円滑にして温度ヒューズなどの温度過昇防止装置の動作をなくし、信頼性を向上することができる。
【００３３】
また、請求項４に記載の発明によれば、第１の給水手段の駆動時に、送風手段を駆動するようにしたから、バイパスホースを通って熱交換器内にも給水すると同時に、送風手段を駆動させることによって給水を飛散させ、排気ホースや熱交換器内に付着したリントを洗い流すことができる。
【図面の簡単な説明】
【図１】本発明の第１の実施例のドラム式洗濯乾燥機のブロック回路図
【図２】同ドラム式洗濯乾燥機の一部切欠した斜視図
【図３】同ドラム式洗濯乾燥機の縦断面図
【図４】同ドラム式洗濯乾燥機の要部拡大断面図
【図５】本発明の第２の実施例のドラム式洗濯乾燥機の要部断面図
【図６】本発明の第３の実施例のドラム式洗濯乾燥機の要部断面図
【図７】従来のドラム式洗濯乾燥機の一部切欠した斜視図
【符号の説明】
１  回転ドラム
３  水槽
４  熱交換器
５  排気ホース
６  循環経路
７  送風ファン（送風手段）
８  乾燥ヒータ（加熱手段）
１２  第１の給水弁（給水手段）
２９  制御手段
３４  水位検知手段
【図１】
0003744162.tif 000002
【図２】
0003744162.tif 000003
【図３】
0003744162.tif 000004
【図４】
0003744162.tif 000005
【図５】
0003744162.tif 000006
【図６】
0003744162.tif 000007
【図７】
0003744162.tif 000008